(57)【要約】【課題】  モグラ忌避装置において、装置の設置位置を選ばす、接地あるは土壌の状態に左右されることなく、学習効果による忌避効力減退を阻止し、効率良い忌避効果を与えるモグラ忌避装置を提供すること。【解決手段】  コンデンサ４、切り替えスイッチ５、抵抗器６、直流電源７、昇圧トランス８を備えた高圧衝撃電圧発生装置２と、絶縁電線３を介して、昇圧トランスに接続される１対の電極棒Ｐa、Ｐbからなるモグラ忌避装置において、  抵抗を介して直流電源で充電したコンデンサの電荷を、切り替えスイッチで昇圧トランスの1次コイルに放電させて2次コイルに生じる衝撃電圧を、耕作地中に挿入した1対の電極棒に絶縁電線で導くことを特徴とする。【選択図】      図１
2014176356.tif 000002
【特許請求の範囲】
【請求項１】
コンデンサ４、切り替えスイッチ５、抵抗器６、直流電源７、昇圧トランス８を備えた高圧衝撃電圧発生装置２と、絶縁電線３を介して、昇圧トランスに接続される１対の電極棒Ｐa、Ｐbからなるモグラ忌避装置において、
抵抗を介して直流電源で充電したコンデンサの電荷を、切り替えスイッチで昇圧トランスの1次コイルに放電させて2次コイルに生じる衝撃電圧を、耕作地中に挿入した1対の電極棒に絶縁電線で導くことを特徴とするモグラ忌避装置。
【発明の詳細な説明】
【技術分野】
【０００１】
本発明は、農作物栽培において、モグラを忌避する技術に関し、特にモグラに直接電気的刺激を与えて忌避する装置に関する。
【背景技術】
【０００２】
モグラは、地中に棲むミミズや昆虫の幼虫を主な餌としている。そのため、モグラは地下にトンネルを掘り、その中で生活するが、そのトンネルは巣であるとともに、獲物を感知、採取する罠ともなっている。
【０００３】
モグラがそのようなトンネルを掘り広げることによって、畑の栽培植物の苗が根付かなかったりする。例えば、大根の幼根の伸びる下方が空洞化されると生育阻害で枯死する。あるいは、根が切られたり、また、そのトンネル内に侵入した野ネズミが地中の根菜類を食べ荒らす等の被害も生じている。
【０００４】
そのため、従来より、モグラを畑から排除したり、近づけないようにするための手段が提案されているが、それらの従来技術は、モグラの嫌う臭いを有する化学物質によるもの（特許文献１、２）、モグラの嫌う音や振動を用いるもの（特許文献３、４）などが代表的なものであった。
【０００５】
特許文献１及び２の技術は、モグラ忌避剤を用いるものであるが、その持続性に難があるなど、メンテに課題があり、また土壌汚染等も懸念される。
【０００６】
音や振動を用いるものは、音あるいは振動は風力を用い直接機械的に発生させるか、電気的エネルギをモ−タ−やソレノイド等で機械的振動あるいは音に変換して地中に伝搬している。
【０００７】
特許文献３は、風力と電気モータの併用で打音振動を地中に伝播するもの、特許文献４は、太陽光発電装置および蓄電器を備えた導電型振動発生装置よりなる振動発生ユニットと、金属製杭からなる振動伝達ユニットを備えたものである。
【０００８】
しかし、発生した音あるいは振動が地中に伝搬させるときの減衰は接地条件および土壌の状態に大きく左右される。すなわち、接地が緩ければそこで振動又は音波エネルギは遮断され、また耕した直後の土壌は空間が多く振動又は音波エネルギは吸収され目的とする面積をカバ−することは困難である。
【０００９】
また、モグラにとって音や振動は嫌いではあるが直接生命を脅かすものではないところから、学習効果が派生することも考えられる。
【００１０】
一方、この音あるいは振動を伝える本体は、普通耕作地の中央部に設置することが必要で、播種、植え付け後の土寄せ、除草等の作業性を損なうという欠点を有する。
【００１１】
通電により直接撃退する方法も知られているが（特許文献５）、装置が大がかりとなること、小動物特にモグラのような地中に棲息する害獣に対する効果が必ずしも満足できるものではないなどの問題があった。
【先行技術文献】
【特許文献】
【００１２】
【特許文献１】特開平６−１７０５号公報
【特許文献２】特開２００７−１２４９９９号公報
【特許文献３】特開２００６−１０９７９０号公報
【特許文献４】特開２０１１−１７２４８７号公報
【特許文献５】特開２００２−１６３号公報
【発明の概要】
【発明が解決しようとする課題】
【００１３】
本発明は、モグラ忌避装置において、上記従来技術の問題点、すなわち、接地あるは土壌の状態に大きく左右される点、学習効果による忌避効力減退の点、装置本体の設置位置の問題等を解決することを課題する。
【課題を解決するための手段】
【００１４】
本発明は、モグラに直接電撃を与えることにより、大きな忌避効果を有するモグラ忌避装置を提供することを特徴とし、以下の技術を基礎とする。
【００１５】
コンデンサ４、切り替えスイッチ５、抵抗器６、直流電源７、昇圧トランス８を備えた高圧衝撃電圧発生装置２と、絶縁電線３を介して、昇圧トランスに接続される１対の電極棒Ｐa、Ｐbからなるモグラ忌避装置において、
抵抗を介して直流電源で充電したコンデンサの電荷を、切り替えスイッチで昇圧トランスの1次コイルに放電させて2次コイルに生じる衝撃電圧を、耕作地中に挿入した1対の電極棒に絶縁電線で導くことを特徴とするモグラ忌避装置。
【発明の効果】
【００１６】
本発明のモグラ忌避装置によれば、設置場所に制約されることなく、効率よくモグラを忌避でき、また、モグラが作る地中のトンネルを移動経路とする野鼠にも同様の忌避効果が期待できる。
【図面の簡単な説明】
【００１７】
【図１】図１は、本発明のモグラ忌避装置の概略を示す説明図である。
【図２】図２は、本発明のモグラ忌避装置の配線状態の一例を示す説明図である。
【発明を実施するための形態】
【００１８】
本発明のモグラ忌避装置においては、バッテリー若しくは他の直流電源から抵抗を経て切り替えスイッチの常閉接点を介して充電したコンデンサの電荷を、スイッチを切り替えて十分な昇圧比を持つトランスの1次側に放電させることによって、2次側に高圧の衝撃電圧を発生させ、これを前記の絶縁電線で電極棒に導く。
【実施例】
【００１９】
以下、図面に基づいて、本発明のモグラ忌避装置の実施例を説明するが、本発明はこの実施例に限定されるものではない。
【００２０】
図１及び図２において、方形の耕作地１におけるＡＢＣＤの対辺Ａ−Ｄ上の1点ａ1およびＢ−Ｃ上の一点ｂ1に、良導体からなる電極棒ＰaおよびＰbを挿入して接地する。
これらの電極棒は、絶縁電線３aおよび３bにより、衝撃電圧発生装置２の昇圧トランス８の高圧側出力端子８cおよび８dに接続される。
【００２１】
一方、衝撃電圧発生装置２においてコンデンサ４は切り替えスイッチ５の常閉接点５aと抵抗６を介しバッテリー７に接続し、所要電圧に充電する。コンデンサ４はスイッチ５の常開接点５bを通じて昇圧トランス８の１次側端子８aおよび８bに接続する。
【００２２】
ここで具体的数値例を示すと、１０ｍ×３０ｍの耕作地の短辺に、導体断面積０.８５ｍｍ2、長さ２５ｍの絶縁電線に接続された肉厚１ｍｍ直径６ｍｍ長さ４０ｃｍの銅パイプの電極棒を地表から約３０ｃｍ挿入して対向させる。
【００２３】
１５.０Ｖに充電したバッテリー７を２個直列にして電源とし、１００オ−ムの抵抗６および切り替えスイッチ５の常閉接点５ｂを介して１６,０００μＦのコンデンサ４を充電する。
【００２４】
コンデンサ４の陽極は切り替えスイッチ５の常開接点５ａを介して昇圧比４０のトランス８の１次側の１端に接続し、負極は１次側の他端に接続する。
【００２５】
スイッチ５の開閉によりコンデンサ４の放電・充電を行うとき、放電時トランスの２次側には波高値３０.０×４０＝１２００Ｖ、波長約１００ｍＳの単極性の衝撃電圧が発生する。
【００２６】
トランスの２次側コイル抵抗が８キロオ−ム、電極間抵抗値が０.００２メグオ−ムのとき、約１００ｍＡの衝撃電流が電極間に棲息するモグラを直撃する。１ポイント当たり２〜３回充・放電を繰り返し、電極棒を約３ｍずつ移動して３ポイントこれを行ない１０ｍの短辺を走査する。
【００２７】
上記方形の耕作地に実施した結果、実施例１では印加の翌日、また別な耕作地での実施例２では印加の翌々日、対象地域の外縁部にそれぞれ１体のモグラの死骸を認めたが、その死因が印加に直接起因する感電死かどうかは不明である。しかしながら少なくとも１ヶ月は印加した耕作地において新規なトンネルが形成される等のモグラの挙動は認められず、その後作物の被害は皆無なことから、耕作地での忌避効果は十分あったものと推測される。
なお、忌避装置の印加中に、耕作地内の土に、人が直接手を触れた場合であっても、衝撃を感じることはなかった。
【００２８】
モグラの被害が及ぶ農作物の幼生期間（大根の場合約２ヶ月）、１ないし２回これを実施することにより効果が得られる。
【産業上の利用可能性】
【００２９】
本発明はモグラに直接電撃を与えることにより、これまでの装置に無い大きな忌避効果を有するとともに、主としてモグラが作る地中のトンネルを移動経路とする野鼠にも同様の忌避効果が期待されることから農産業の生産性向上に大きく寄与する。
【符号の説明】
【００３０】
１：方形（ＡＢＣＤ）の耕作地  
ａ1、ａ2、ａ3：辺ＡＤ上の電極棒の設置挿入位置
ｂ1、ｂ2、ｂ3：辺ＢＣ上の電極棒の設置挿入位置  
Ｐa  ：辺ＡＤ上の電極棒
Ｐb  ：辺ＢＣ上の電極棒
２：高圧衝撃電圧発生装置
３（３a、３b）：絶縁電線    
４：コンデンサ
５：切り替えスイッチ
５ａ：常開接点
５ｂ：常閉接点
５ｃ：接点
６：抵抗器
７：バッテリー
８：昇圧トランス
８a、８b：１次側端子
８c、８d：２次側端子
【図１】
2014176356.tif 000003
【図２】
2014176356.tif 000004